(57)【要約】【課題】  従来の複年カレンダーによれば、同じ曜日、あるいは同じ年・月が一列に並んでおり、複年における同一日付、あるいはある事柄の同一年次・月次はばらばらに並にでいたため、年間の同一日付の指定や確認、あるいはある事柄の同一年次・月次の指定や確認が難しかった。  そこで、本発明は、年間の同一日付、あるいはある事柄の同一年次あるいは同一月次の指定や確認が容易であり、かつある年と次の年あるいはある事柄と別の事柄の間に文字や写真やイラストや表などの情報を配置することのできる複年カレンダーを提供することを目的とする。【解決手段】  １年分の日付を一行に記載し、複数年分の該日付の行において同一の日付をもって列とし、かつ行と行の間に日付の文字の高さの２倍以上の行間の余白を設ける。【選択図】図１
2005289018.tif 000002
【特許請求の範囲】
【請求項１】
１年分の日付を１行に記載し、複数年分の該日付の行において同一の日付を１列に配置し、かつ行と行の間に日付の文字の高さの２倍以上の行間の余白を設けた複年カレンダー。
【請求項２】
隣接する複数年分の日付の行において、特定の日付の列を一括にして他の日付の列と区別したことを特徴とする請求項１に記載の複年カレンダー。
【請求項３】
ある事柄の年次もしくは月次を１行に記載し、複数の事柄の該年次もしくは月次の行において同一の年次もしくは月次を１列に配置し、かつ行と行の間に年次もしくは月次の文字の高さの２倍以上の行間の余白を設けた複年カレンダー。
【請求項４】
隣接する複数のある事柄の年次もしくは月次の行において、特定の年次もしくは月次の列を一括にして他の年次もしくは月次と区別したことを特徴とする請求項３に記載の複年カレンダー。
【請求項５】
請求項３に記載の複年カレンダーにおいて、年次を表す行を別に設け、ある事柄の年次を実際にそのことが起こった年号に置き換えたカレンダー。
【発明の詳細な説明】
【技術分野】
【０００１】  この発明は、カレンダーの日付またはある事柄の一定の期間の年次もしくは月次の記載方法に関するものである。
【背景技術】
【０００２】  従来、複数年分の日付を記載した複年カレンダーは、図２に示すように、１箇月分の日付をブロックとしそのブロックを並べたものが多かった。
また、１年間の日付が１行に記載されたものにおいては、特許文献１にあるように、曜日の記載が簡単になるように、同じ曜日が１列に並ぶように配置されているものであった。図３（ア）にその部分拡大図を示す。図３（イ）はその１月から３月にかけての日付の記載を一部省略して示したものである。ここで２００５年２月２９日に相当する日付の位置にスペースはなく３月１日の日付になっている。
また、特許文献４にあるように、日付欄を別途に設け、各年の日付の位置に升目を設けたものであった。
また、従来年表においていくつかの事柄を記載する場合、その年の記載が簡単になるように、同じ年にあった項目がその年の列に並ぶように配置されているものであった。図４にその一例を示す。【０００３】  なお、ここで「ある事柄の一定の期間」とは、建築物における建築構想から解体処分まで、あるいはある人の一生、あるいは文化の発生から終息までなどを、またある事柄の一部を捉えてたとえば、建築物における着工から竣工まで、あるいはある学生の入学から卒業まで、あるいは文化の成熟期から１００年の間というようにさらに時間を区切ったものでもよい。
なお行は曲がっている場合や折れ曲がっている場合も含めて記載内容が連続的に続いているものは一行と言う。
また「列」とは行に交差する並びを言い、仮に行が水平に横方向に並ぶならば列は縦方向に並ぶ。「１列に配置」とはその列の日付などが１直線状に配置されていることを言う。
また「年次」とは１年ごとに順に並んだ一連の年の表示をいい、「月次」とは１箇月ごとに順に並んだ一連の月の表示をいう。
【特許文献１】意匠登録第１１０８９９０号公報
【特許文献２】実開平０３−０１５１６８号公報
【特許文献３】実開昭６１−５０４７０号公報
【特許文献４】実開昭５４−１１８２３０号公報
【発明の開示】
【発明が解決しようとする課題】
【０００４】  従来の複年カレンダーによれば、同じ曜日、あるいは同じ年・月が一列に並んでおり、複数年における同一日付、あるいは複数の事柄における同一年次・月次はばらばらに並にでいたため、複数年間の同一日付の指定や確認、あるいは複数の事柄の同一年次・月次の指定や確認が難しかった。
また、ある年と次の年の日付の行の間またはある事柄と他の事柄の年次・月次の行の間に余白部分がなく、単に日付や曜日を確認したりチェックしたりする（印を付ける）だけであれば可能であったが、その間に文字や写真やイラストや表などの情報を挿入することは想定しておらず、無理であった。
そこで、本発明は、複数年間の同一日付、あるいは複数の事柄の同一年次・同一月次の指定や確認が容易であり、かつある年と次の年の日付の行の間、あるいはある事柄と別の事柄の年次・月次の行の間に文字や写真やイラストや表などの情報を配置することのできる複年カレンダーを提供することを目的とする。
【課題を解決するための手段】
【０００５】  請求項１に記載の発明は、１年分の日付を１行に記載し、複数年分の該日付の行において同一の日付を１列に配置し、かつ行と行の間に日付の文字の高さの２倍以上の行間の余白を設けたことを特徴とする複年カレンダーである。
なお、閏年の２月２９日に相当する閏年でない年の日付の位置はブランクとする。【０００６】  請求項２に記載の発明は、隣接する複数年分の日付を記載する複年カレンダーの該日付の行において特定の日の列を一括にして他の日付の列と区別したことを特徴とする請求項１に記載の複年カレンダーである。一括の方法は、枠で囲う、地の色や模様、表面処理（たとえばエンボス加工による凹凸や表面光沢など）を変える、文字の色や書体を変えるなどがある。【０００７】  請求項３に記載の発明は、請求項１に記載の発明の日付を年次もしくは月次に、年をある事柄に置き換えたもので、ある事柄の年次もしくは月次を１行に記載し、複数の事柄の該年次もしくは月次の行において同一の年次もしくは月次を１列に配置し、かつ行と行の間に年次もしくは月次の文字の高さの２倍以上の行間の余白を設けたことを特徴とする複年カレンダーである。【０００８】  請求項４に記載の発明は、上記複年カレンダーにおいて特定の年次もしくは月次の列を一括にして他の年次もしくは月次の列と区別したことを特徴とする請求項３に記載の複年カレンダーである。一括の方法は、枠で囲う、地の色や模様、表面処理（たとえばエンボス加工による凹凸や表面光沢など）を変える、文字の色や書体を変えるなどがある。【０００９】  請求項５に記載の発明は、請求項３に記載の複年カレンダーにおいて、年次を表す行を別に設け、ある事柄の年次を実際にそのことが起こった年号に置き換えたカレンダーである。
【発明の効果】
【００１０】  請求項１または請求項２に記載の発明によれば、複数年分の同一日付を容易に見つけることができ他の日付と区別することが容易にできる。また行間の余白に各種の情報を記載することができる。
請求項３または請求項４に記載の発明によれば、複数の事柄の同一年次もしくは月次を容易に見つけることができ他の同一年次もしくは月次と区別することができる。また行間に各種の情報を記載することができる。
請求項５の発明によれば、ある複数の事柄の同一年次を容易に見つけることができると共に、その事柄のあった年号を容易に知ることができる。
【発明を実施するための最良の形態】  実施例に示すものは本発明の一実施形態であって、これによって本発明が限定されるものではない。
以下添付した図面に基づいて、本発明の複年カレンダーを説明する。
【実施例１】
【００１１】  図１は本発明の実施形態の一部分を示す。
（ア）は２００４年の日付２を１行に記載し、次の行に２００５年の日付２、その次の行に２００６年の日付２を記載している。それぞれの行の日付２は同一ものをもって１列に配置している。行と行の間には日付２の文字の高さの２倍以上の行間の余白３が設けられ、各種の情報を記載することができる。
（イ）は閏年でない年の２月２９日に相当する部分には、１日分の日付のスペース４を設けていることを示している。
なお、図５に示すように、特定の曜日の日付に枠囲い５を置くなどでも曜日を示すことができる。
【実施例２】
【００１２】  図６に他の実施形態の部分図を示す。
この実施形態によれば、隣接する複数の年分の同一の日付の列を一括して枠囲い６によって他の日付と区別してあるため、その日付の列を極めて簡単に見つけることができる。
【実施例３】
【００１３】  図７は、日付を数字でなく日付を表したマークの点７で表している。ただし日曜日に該当する日付はそのまま数字で記載している。これにより、曜日と日付が簡単にわかるとともに行間の余白３が広がる。なお、日付を表すのに点としたが、枠囲いや色の面などでもよい。
【実施例４】
【００１４】  図８は、実施例３のものに各種の情報８を記載し、また隣接する複数年分の同一の日付の列を一括して枠囲い６によって他の日付と区別している。
【実施例５】
【００１５】  図９に他の実施形態の部分を示す。
祖父の生まれてからの年次すなわち年齢を１行に記載し、次に父の年齢の行、その次に自分の年齢の行を記載している。３つの年齢の行は同一年齢を一列に配置している。年齢は５歳おきに数値で記載し、その他の年齢は年齢を表したマークの点７１で表している。年齢の行と行の間には年齢の文字の高さの２倍以上の行間の余白３が設けられ、各種の情報８を記載することができる。
【実施例６】
【００１６】  図１０に他の実施形態の部分を示す。
年齢を１行目に記載し、次に祖父の生まれた年の年号から始まる年次の行すなわち年号の行、その次に父の生まれた年の年号から始まる年次の行すなわち年号の行、その次に自分の生まれた年の年号から始まる年次の行すなわち年号の行を記載している。３つの生まれた年の年号から始まる年号の行は同一年齢で１列となるよう配置している。年号の行と行の間には年号の文字の高さの２倍以上の行間の余白３が設けられ、各種の情報８を記載することができる。
なお、年号を表すのに数字を当てているが、図９に示すように、年号を表したマークの点７２をつけたものでも良い。この図では年号の末尾の数字が５または１０になる年号のみを数字で表示することにより、その他の年号がわかるようになっている。
【図面の簡単な説明】
【００１７】
【図１】第一発明の一実施形態の部分拡大図である。（ア）は１月の部分を中心に２月以降については省略して示している。（イ）は２月の閏日を中心に一部省略したものである。なおカレンダーの紙の外周辺は図示していない。他の図においても同様とする。
【図２】１箇月分の日付をブロックとしそのブロックを並べた従来の複年カレンダーである。
【図３】同じ曜日が１列に並ぶように配置されている従来の複年カレンダーである。（ア）は１月の部分を中心に２月以降については省略して示している。（イ）は２月の閏日を中心に一部省略したものである。
【図４】従来の年表の部分図。
【図５】特定の曜日を表す区分を付けた複年カレンダーの部分。
【図６】特定の曜日を表す区分を付けた複年カレンダーに、複数年を一括する区分をつけた複年カレンダーの部分。
【図７】日付を、日付を表したマークの点７に置き換えた複年カレンダー。
【図８】行間の余白３に各種の情報８を記載した複年カレンダー。
【図９】３行の年次を表した複年カレンダー。
【図１０】年号の年次を表した複年カレンダー。
【符号の説明】
【００１８】１    年
２    日付
３    行間の余白
４    スペース
５    特定の曜日を表す区分
６    複数年を一括する区分
７    日付を表したマークの点
７１  年齢を表したマークの点
７２  年号を表したマークの点
８    情報
９    年次
１０  事柄などの項目
【図１】
2005289018.tif 000003
【図２】
2005289018.tif 000004
【図３】
2005289018.tif 000005
【図４】
2005289018.tif 000006
【図５】
2005289018.tif 000007
【図６】
2005289018.tif 000008
【図７】
2005289018.tif 000009
【図８】
2005289018.tif 000010
【図９】
2005289018.tif 000011
【図１０】
2005289018.tif 000012